(57)【特許請求の範囲】
【請求項１】
両側面に凹条部、上面に飾り溝を有する床材を、床下地の上に敷設する床の敷設方法であって、
床下地に、予め、床材を互いに隣接した状態で固定する固定部品を複数配列しておき、
床材を、前記飾り溝で折り曲げた状態から床材が平らになるようにのばしながら、床材の両側面の凹条部をそれぞれの固定部品と嵌合して、床材を互いに隣接して連結すると共に床下地に対して固定することを特徴とする床の敷設方法。
【請求項２】
請求項１記載の床の敷設方法において、
複数の固定部品の各々は、一方の床材の前記凹条部と嵌合する第１凸条部と、他方の床材の前記凹条部と嵌合する第２凸条部と、床下地に固定される固定部とが、金属板を折曲形成して形成される固定部材で構成されていることを特徴とする床の敷設方法。
【請求項３】
請求項１記載の床の敷設方法において、
複数の固定部品の各々は、一方の床材の前記凹条部と嵌合する第１凸条部、及び他方の床材の前記凹条部と嵌合する第２凸条部をそれぞれ有すると共に、床下地に固定される固定部を有する樹脂などで形成された固定部材と、床下地に取り付けられると共に前記固定部材の固定部を係止する引き掛け具とを備えてなる構成とされていることを特徴とする床の敷設方法。
【請求項４】
請求項３記載の床の敷設方法において、
前記引き掛け具は、床下地を構成する床下地板と根太とのいずれか一方の上面に形成された取付溝に埋設され、かつ前記固定部材の固定部が挿入されたとき、固定部を係止する係止溝を有することを特徴とする床の敷設方法。
【請求項５】
請求項４記載の床の敷設方法において、
前記取付溝は、奥部から開口部に至るに従い幅を次第に狭めて形成されたテーパ状をなし、前記引き掛け具は、前記取付溝と対応する形状をなしていることを特徴とする床の敷設方法。
【請求項６】
床下地上に敷設されると共に両側面に凹条部、上面に飾り溝を有する複数の床材のうち、所望の床材を選択的に取り外して新規の床材を敷設する床の補修方法であって、
床下地に、予め、隣り合う床材を固定する固定部品を複数配列しておき、
その固定部品が一方の床材の一側面の凹条部と他方の床材の他側面の凹条部と嵌合して、双方の床材が互いに隣接して連結されると共に、床下地に対して固定された状態にあるとき、
交換すべき床材と、その両側面の凹条部と嵌合しているそれぞれの固定部品との嵌合を解除して、交換すべき床材を床下地から取り外した後、
新規の床材を、前記飾り溝で折り曲げた状態から床材が平らになるようにのばしながら、床材の両側面の凹条部をそれぞれの固定部品と嵌合して、新規の床材を既存の床材間に連結すると共に床下地に対して固定することを特徴とする床の補修方法。
【発明の詳細な説明】
【０００１】
【発明の属する技術分野】
この発明は、住宅等に設けられている床材を貼り替えるのに好適な床構造及び床の補修方法に関する。
【０００２】
【従来の技術】
従来の床構造は、例えば図１３に示すように、床下地板１の上に床材としてのフローリング材２が複数敷設されている。フローリング材２の各々は、一側面に凸条部２ａが形成されると共に、他側面に凹条部２ｂが形成された構造を有している。従って、フローリング材２の敷設時には、一方のフローリング材２の凸条部２ａに、これと隣り合うフローリング材２の他側面の凹条部２ｂが嵌合した後、そのフローリング材２の一側面の凸条部２ａに、これと隣り合うフローリング材２の凹条部２ｂを嵌合させ、これを順次行うことによって互いに連結される構成となっている。このようなフローリング材２は、床下地板１に接着剤３、或いは両面テープ若しくは釘等によって固定されている。符号４は、根太である。
【０００３】
【発明が解決しようとする課題】
このように、従来の床構造においては、フローリング材２を敷設する場合、それぞれのフローリング材２が順次連結されることによって互いに固定されると共に、床下地板１に対しても固定される構成であるので、例えば、一枚のフローリング材２に傷等が付いたとき、その傷の付いているフローリング材２のみを抜き取ることが困難であった。
即ち、フローリング材２は、それと両側で隣り合っているフローリング材２と嵌合しているので、傷の付いているフローリング材２だけを、互いに隣り合っている双方のフローリング材２から取り外そうとすると、隣接しているフローリング材２を破損させてしまうおそれがあり、そのため、所望のフローリング材２だけを取り外すことができないばかりでなく、新たに敷設しようとしているフローリング材２のみをその位置に敷設することができない結果、全てのフローリング材２を交換せざるを得ず、廃材処理が大がかりとなって環境問題が生ずるという問題があった。
【０００４】
この発明は、このような事情を考慮してなされたもので、その目的は、所望のフローリング材のみを交換して床の補修を簡単に行うことができ、廃材処理が小規模で済む床構造及び床の補修方法を提供することにある。
【０００５】
【課題を解決するための手段】
上記目的を達成するために、この発明は以下の手段を提案している。
請求項１に係る発明は、両側面に凹条部、上面に飾り溝を有する床材を、床下地の上に敷設する床の敷設方法であって、床下地に、予め、床材を互いに隣接した状態で固定する固定部品を複数配列しておき、床材を、前記飾り溝で折り曲げた状態から床材が平らになるようにのばしながら、床材の両側面の凹条部をそれぞれの固定部品と嵌合して、床材を互いに隣接して連結すると共に床下地に対して固定することを特徴とする。
【０００７】
請求項２に係る発明は、請求項１記載の床の敷設方法において、複数の固定部品の各々は、一方の床材の前記凹条部と嵌合する第１凸条部と、他方の床材の前記凹条部と嵌合する第２凸条部と、床下地に固定される固定部とが、金属板を折曲形成して形成される固定部材で構成されていることを特徴とする。
【０００８】
この発明に係る床の敷設方法によれば、固定部品が床材の一側面の凹条部と嵌合する第１凸条部と、その床材と隣接する床材の他側面の凹条部と嵌合する第２凸条部とをそれぞれ有すると共に、床下地に固定される固定部を有するので、固定部品を床下地に固定しているとき、固定部品の第１，第２凸条部と一方の床材の凹条部，他方の床材の凹条部に嵌合すると、双方の床材を互いに隣接して連結することができる。
【０００９】
請求項３に係る発明は、請求項１記載の床の敷設方法において、複数の固定部品の各々は、一方の床材の前記凹条部と嵌合する第１凸条部、及び他方の床材の前記凹条部と嵌合する第２凸条部をそれぞれ有すると共に、床下地に固定される固定部を有する樹脂などで形成された固定部材と、床下地に取り付けられると共に前記固定部材の固定部を係止する引き掛け具とを備えてなる構成とされていることを特徴とする。
【００１０】
この発明に係る床の敷設方法によれば、固定部品が固定部材と引き掛け具とを備えてなる構成とされており、引き掛け具が固定部材の固定部を係止するので、固定部材と嵌合している床材を床下地に対して確実に固定することができる。
【００１１】
請求項４に係る発明は、請求項３記載の床の敷設方法において、前記引き掛け具は、床下地を構成する床下地板と根太とのいずれか一方の上面に形成された取付溝に埋設され、かつ前記固定部材の固定部が挿入されたとき、固定部を係止する係止溝を有することを特徴とする。
【００１２】
この発明に係る床の敷設方法によれば、床下地に埋設された取付溝に固定部材の固定部が挿入されたとき、引き掛け具が係止溝によって固定部を係止するので、床下地に固定部材を確実に固定させておくことができる。
【００１３】
請求項５に係る発明は、請求項４記載の床の敷設方法において、前記取付溝は、奥部から開口部に至るに従い幅を次第に狭めて形成されたテーパ状をなし、前記引き掛け具は、前記取付溝と対応する形状をなしていることを特徴とする。
【００１４】
この発明に係る床の敷設方法によれば、引き掛け具が床下地の取付溝から離脱することがないので、引き掛け具としての信頼性が得られる。
【００１５】
請求項６に係る発明は、  床下地上に敷設されると共に両側面に凹条部、上面に飾り溝を有する複数の床材のうち、所望の床材を選択的に取り外して新規の床材を敷設する床の補修方法であって、床下地に、予め、隣り合う床材を固定する固定部品を複数配列しておき、その固定部品が一方の床材の一側面の凹条部と他方の床材の他側面の凹条部と嵌合して、双方の床材が互いに隣接して連結されると共に、床下地に対して固定された状態にあるとき、交換すべき床材と、その両側面の凹条部と嵌合しているそれぞれの固定部品との嵌合を解除して、交換すべき床材を床下地から取り外した後、新規の床材を、前記飾り溝で折り曲げた状態から床材が平らになるようにのばしながら、床材の両側面の凹条部をそれぞれの固定部品と嵌合して、新規の床材を既存の床材間に連結すると共に床下地に対して固定することを特徴とする。
【００１６】
この発明に係る床の補修方法によれば、固定部品が一方の床材の一側面と他方の床材の他側面と嵌合して、双方の床材が互いに隣接して連結されると共に床材に対して固定された状態にあるとき、交換すべき床材と、その両側面と嵌合しているそれぞれの固定部品との嵌合を解除して、交換すべき床材を床下地から取り外した後、新規の床材の両側面をそれぞれの固定部品と嵌合して、新規の床材を既存の床材間に連結すると共に床下地に対して固定するので、所望の床材のみを確実に交換することができる。
【００１７】
【発明の実施の形態】
以下、図面を参照し、この発明の実施の形態について説明する。図１から図３は、この発明の第１の実施の形態に係る床構造を示す図であり、図４から図８は、この発明の第２の実施の形態に係る床構造を示す図である。
【００１８】
図１から図３に示す第１の実施の形態である床構造５は、支持脚６の上に配置された床下地材７の上にフローリング材８が敷設され、このフローリング材８が複数の固定部品９により固定された構造となっている。固定部品９は、図３（ａ）、（ｂ）に示すように、金属板を折曲して形成したものであって、その上部に形成されている第１凸条部９ａ，第２凸条部９ｂと、下部に形成されている固定部９ｃとを備えた構成とされている。そして、床下地材７に固定部品９の固定部９ｃが接着剤、両面テープ、または、釘等によって固定されている。
フローリング材８の一側面には凹条部８ａが形成され、同他側面には凹条部８ｂが形成されている。そして、固定部品９の凸条部９ａ、９ｂがそれぞれ凹条部８ａ、８ｂに嵌合することによってフローリング材８が床下地材７に固定された構造となっている。
【００１９】
図４に示す第２の実施の形態である床構造１０は、大引き１１の上に配置された根太１２上に床下地板１３が敷設されると共に、床下地板１３の上に床板としてのフローリング材１４が敷設されている。フローリング材１４は、その上面中央部に飾り溝１４０を有し、両側面に凹条部１４ａ，１４ｂを有する。これらフローリング材１４の各々は、後述する固定部品（符示せず）によって互いに隣接して連結されると共に、床下地板１３に固定されている。
【００２０】
固定部品は、固定部材２０と引き掛け具２６とを備えた構成とされている。その固定部材２０は、図４〜図６のように、合成樹脂によって全体的にＴ字状をなしている。即ち、固定部材２０は、図６に明示するように、上部の両側に互いに隣り合うフローリング材１４方向に延在する第１凸条部２１，第２凸条部２２を有している。
【００２１】
第１の凸条部２１及び第２の凸条部２２は、双方が固定部材２０の上部に設けられた平板部２３を構成してあって、フローリング材１４の一側面の凹条部１４ａと他方のフローリング材１４の他側面の凹条部１４ｂとそれぞれ嵌合することにより、互いに隣り合う両フローリング材１４，１４を共に隣接させて連結するようになっている。
【００２２】
そのため、フローリング材１４の各々には、一側面の途中位置に図４のように凹条部１４ａが長さ方向に形成されると共に、他側面の途中位置にその凹条部１４ａと対称形状をなす凹条部１４ｂが長さ方向に形成されていて、第１，第２凸条部２１，２２を嵌入し得る大きさをなしている。この実施形態では、第１，第２凸条部２１，２２は、凹条部１４ａ，１４ｂに対し上下方向でガタつくことがなくかつ容易に嵌入できるよう先端が円弧状をなしている。
【００２３】
また、固定部材２０の下部には、中央から垂下する脚体２４を介して固定部２５が設けられている。固定部２５は、図６に示す広幅部分２５ａとその下部に次第に幅が狭くなるようにテーパ状に形成された狭幅部分２５ｂとからなる逆台形の形状が複数連設された形状をなしており、フローリング材１４の敷設に際し、固定部材２０の固定部２５が床下地板１３に挿入されて固定されるようになっている（図５、図６参照）。
【００２４】
一方、床下地板１３には、固定部品の引き掛け具２６が取り付けられている。引き掛け具２６は、図６のように、床下地板１３の上面に設けられた取付溝１３０に嵌合されることにより、床下地板１３の長さ方向に沿って取り付けられている。取付溝１３０は、床下地板１３の上面において、隣り合うフローリング材１４，１４間と対応する位置に凹んで形成されている。
【００２５】
この引き掛け具２６は、上部を開口して取付溝１３０と対応する略コ字状に形成された合成樹脂からなっており、内部に固定部材２０の固定部２５が挿入されたとき、弾性力で拡開して固定部２５の挿入を許容すると共に、弾性復元して固定部２５を係止する係止溝２７を有している。係止溝２７は、引き掛け具２６の内部の両側に固定部２５の広幅部分２５ａ及び狭幅部分２５ｂと略対応する形状をなしており、固定部２５が挿入されただけで固定部材２０を固定できるようになっている。
【００２６】
また、引き掛け具２６と床下地板１３とは、以下の関係となっている。即ち、床下地板１３に設けられた取付溝１３０は、上端の開口部１３１が下方の奥部１３２から次第に幅を狭めた蟻溝形状に形成されている。そして、固定部２５の引き抜き力が引き掛け具２６に作用しても、引き掛け具２６が取付溝１３０から離脱することがないようになっている。
【００２７】
従って、この床構造１０は、固定部材２０及び引き掛け具２６を備えた固定部品により、床下地板１３上に一方のフローリング材１４と他方のフローリング材１４とが互いに隣接配置して連結されると共に、連結されたフローリング材１４，１４の付き合わせ位置において、床下地板１３に密接した状態で固定されるようになっている。なお、大引き１１と根太１２と床下地板１３とで床下地が構成される。
【００２８】
上述した第１の実施の形態（図１から図３に示す形態）と第２の実施の形態（図４から図８に示す形態）とは、フローリング材の敷設工法が略同様である。従って、フローリング材の敷設工法について、以下第２の実施の形態を例にとって説明する。
まず、フローリング材１４の敷設に際しては、根太１２の上面に取付溝１３０を有する床下地板１３を取り付ける。その際、床下地板１３には取付溝１３０に引き掛け具２６が予め取り付けられることによって引き掛け具２６を埋設しておく。
【００２９】
次いで、敷設すべきフローリング材１４の列に応じた数の固定部材２０を用意し、その固定部材２０の固定部２５を床下地板１３の引き掛け具２６にそれぞれ挿入して、固定部２５を引き掛け具２６内の係止溝２７に係止する。これにより、床下地板１３上に固定部材２０が図５及び図６のように起立して複数配列される。その後、床下地板１３上にフローリング材１４を順次敷設することとなる。なお、以下は、図７を用いて説明するが、図７においては便宜上、左側の列のフローリング材１４を「第１フローリング材１４Ａ」、それと右側に順次隣り合う列のフローリング材１４を「第２フローリング材１４Ｂ」，「第３フローリング材１４Ｃ」という。
【００３０】
即ち、図７において、床下地板１３の上に、例えば左側の第１フローリング材１４Ａを乗せ、その第１フローリング材１４Ａの一側面に設けられている凹条部１４ａを固定部材２０の第１凸条部２１と嵌合させることにより、第１フローリング材１４Ａを床下地板１３に固定する。
【００３１】
このようにして第１フローリング材１４Ａが固定された後、それと隣り合う位置に第２フローリング材１４Ｂを用意し、第２フローリング材１４Ｂの他側面に設けられている凹条部１４ｂを固定部材２０の第２凸条部２２と嵌合させると共に、そのフローリング材１４Ｂの一側面に設けられている凹条部１４ａを、隣の列の固定部材２０の第１凸条部２１と嵌合させる。
これにより、固定部材２０を挟んで左右に位置する第１フローリング材１４Ａと第２フローリング材１４Ｂとが、互いに隣接配置して連結されると共に、その隣接配置された状態で床下地板１３に対して固定される。
【００３２】
その後、隣の列の固定部材２０の第２凸条部２２に第３フローリング材１４Ｃの凹条部１４ａが嵌合されることにより第２フローリング材１４Ｂと第３フローリング材１４Ｃが連結され、以下、同様にして繰り返されることにより、床下地板１３上に全てのフローリング材１４が敷設されることとなる。
【００３３】
このようにして床構造１０が構成され、かつ使用された場合、フローリング材１４のいずれかに傷等が付くことによってフローリング材１４を交換することがある。
その場合、例えば、図８のように、第２フローリング材１４Ｂに傷が付いていてこれを交換するには、まず、第２フローリング材１４Ｂの中央に設けられている飾り溝１４０を中心として、第２フローリング材１４Ｂがくの字状になるように持ち上げられて第２フローリング材１４Ｂの幅を徐々に狭めると、第２フローリング材１４Ｂの他側面に設けられている凹条部１４ｂと、固定部材２０の第２凸条部２２との嵌合が解除されると共に、その第２フローリング材１４Ｂの一側面の凹条部１４ａと固定部材２０の第１凸条部２１との嵌合も解除されることにより、第２フローリング材１４Ｂを取り外すことができる。
【００３４】
この場合、第２フローリング材１４Ｂは、両側に配列されている固定部材２０，２０によって固定されているので、浮かした状態でくの字状に折り曲げられるだけで双方の固定部材２０，２０との嵌合が解除されることにより、第１，第３フローリング材１４Ａ，１４Ｃ及び床下地板１３から容易に外される。
【００３５】
その後、新規のフローリング材１４を用意し、そのフローリング材１４の他側面の凹条部１４ｂを固定部材２０の第２凸条部２２に押し付けて嵌合し、またフローリング材１４が平らになるようにのばしながら、かつフローリング材１４の一側面の凹条部１４ａを固定部材２０の第１凸条部２１に押し付けて嵌合することによりフローリング材１４を両固定部材２０，２０間に入れ、これによって新規のフローリング材１４のみが床下地板２上に敷設されることとなる。
【００３６】
その結果、固定部品によってフローリング材１４が互いに隣接して連結されると共に床下地板１３に固定されているので、交換すべきフローリング材１４を固定部材２０から取り外すだけで、隣接する他のフローリング材を何等損傷させることなく、所望のフローリング材１４のみを確実に取り外すことができるばかりでなく、取り外した位置に新規のフローリング材１４のみを容易に敷設することができる。
【００３７】
これにより、床の補修を簡単に行うことができ、補修コストを安価にすることもできるので、従来のように一カ所のフローリング材を取り外すのに全てのフローリング材を取り外すことが不要になり、大がかりな工事となるのを回避することができると共に、廃材が多量に生じるのを防ぐことができる。
【００３８】
しかも、フローリング材１４の取り外し及び敷設に際しては、固定部材２０及び引き掛け具２６を何等取り換える必要もなく、固定部材２０と引き掛け具２６の双方をそのまま利用できるので、これによっても廃材量を少なくすることができると共に、補修コストのいっそうの低減化を図ることもできる。
【００３９】
また、この実施形態の床構造１０においては、固定部品の固定部材２０及び引き掛け具２６により、隣接する一方のフローリング材１４と他方のフローリング材１４とそれぞれ嵌合して双方のフローリング材１４，１４を隣接配置して連結すると共に、その連結状態のままで床下地板１３に固定するので、上述したように、所望のフローリング材１４のみを容易に交換することができ、床の補修を簡単にかつ安価に行うことができる。
【００４０】
また、固定部材２０の上部にはフローリング材１４の一側面の凹条部１４ａと嵌合する第１凸条部２１と、そのフローリング材１４と隣接するフローリング材１４の他側面の凹条部１４ｂと嵌合する第２凸条部２２とをそれぞれ有すると共に、その下部に、床下地板１３に固定される固定部２５を有して形成されているので、フローリング材１４を床下地板１３上で確実に隣接配置させることができる。
【００４１】
更に、床下地板１３に引き掛け具２６が固定され、この引き掛け具２６に固定部材２０の固定部２５を引き掛けるので、固定部材２０と嵌合しているフローリング材１４を床下地板１３に対して確実に固定することができる。しかも、引き掛け具２６は、床下地板１３の上面に埋設された取付溝１３０に固定部材２０の固定部２５が挿入されたとき、係止溝２７によって固定部２５を係止するので、床下地板１３に固定部材２０を確実に固定させておくことができる。
【００４２】
それに加え、取付溝１３０が奥部１３２から開口部１３１に至るに従い幅を次第に狭めて形成されたテーパ状をなす一方、引き掛け具２６が、取付溝１３０と対応する形状をなしているので、引き掛け具２６が取付溝１３０から離脱することがなく、引き掛け具２６としての信頼性が得られる。
【００４３】
なお、以上の実施形態においては、フローリング材１４の中央に、公知の飾り溝１４０が設けられているので、その飾り溝１４０を利用してくの字状に折り曲げてからフローリング材１４を交換するようにした例を示したが、万一、取り外そうとしているフローリング材１４に飾り溝１４０がない場合には、カッター等で飾り溝を設けることでフローリング材１４を取り外すことができる。
【００４４】
また、これまでの実施形態においては、新築住宅の床構造に適用した例を示したが、以下は、床を改修（リフォーム）する場合について述べる。
図９及び図１０は、この発明の第３の実施の形態に係る床構造を玄関ホールに適用した場合を示している。
即ち、この場合は、根太１２の上に既存のフローリング材が直接敷設されている玄関に適用したものであって、この実施形態では、まず、既存のフローリング材を取り外した後、図９に示すように、支持脚３０を設置すると共に、その支持脚３０の上に新規の根太１２Ａが設置される。支持脚３０は、台座３１を垂直軸周りに回転することによって高さが調整され、その台座３１の上に新規の根太１２Ａが設置される。この新規の根太１２Ａの高さは、既存の根太１２より高くなっている。そして、支持脚３０には例えばブチルゴム３３等を介して既存の根太１２と隣接させておき、既存の根太１２に沿い図１０のように新規の根太１２Ａが設けられることにより、いわゆる、きわ根太沿わし工法が採用されている。
【００４５】
その場合、新規の根太１２Ａの上面には、その長さ方向と直交するように取付溝１３０が設けられ、それぞれの根太１２Ａの取付溝１３０間に引き掛け具２６が介装される。このようにして新規の根太１２Ａ間に引き掛け具２６が介装された後、その引き掛け具２６に固定部材２０を介してフローリング材１４が敷設される。
つまり、根太１２Ａ上の引き掛け具２６に固定部材２０が固定され、その固定部材２０によってフローリング材１４を根太１２Ａ上に固定することにより、フローリング材１４が敷設され、これによって、根太１２Ａ上にフローリング材１４が敷設された床構造が構成される。従って、引き掛け具２６は、床下地としての根太１２Ａに直に取り付けられている。
【００４６】
この実施形態においても、フローリング材１４に傷等が付いてこれを交換するには、そのフローリング材１４を前述と同様にして取り外し、かつ新規のフローリング材１４と交換すればよいので、基本的には前述した実施形態と同様の作用効果が得られる。
【００４７】
また、この実施形態によれば、引き掛け具２６が新規の根太１２Ａに直に取り付けられることによって埋設されるので、床下地板１３を用いない床構造に適用することもできる。
【００４８】
図１１は、この発明の第４の実施の形態に係る床構造を示している。
この実施形態は、和室を洋室にリフォームする場合に適用したものであって、まず、敷設に際しては、荒板４０から畳（図示せず）が全て取り除かれた後、その荒板４０の所定位置に支持具用孔４１がそれぞれ穿設され、それらの支持具用孔４１に支持具４２を挿通させる。支持具４２は、台座４３が垂直軸周りに回転することによって高さが調整され、台座４３が荒板４０より若干高めに調整される。
【００４９】
そして、支持具４２の台座４３上に床下地板１３が配置されると共に、その床下地板１３上にフローリング材１４が敷設される。この場合、床下地板１３に設けられている取付溝１３０には引き掛け具２６が取り付けられると共に、その引き掛け具２６に前述した実施形態と同様にして固定部材２０が固定され、固定部材２０の第１，第２凸条部２１，２２とフローリング材１４とが嵌合することにより、床下地板１３上にフローリング材１４が敷設される。
【００５０】
このように、床下地板１３に引き掛け具２６を埋設すると共に、その引き掛け具２６に固定された固定部材２０によって、フローリング材１４を床下地板１３上に固定することができるので、和室から洋室にリフォームする場合にも容易に適用することができる。しかも、リフォームされたフローリング材１４に万一傷等が付いて交換する場合には、前述した実施形態と同様に交換できるので、傷等の付いたフローリング材のみを簡単にかつ確実に交換することができる。
【００５１】
また、和室の荒板４０を挿通する支持具４２を利用して床下地板１３，フローリング材１４を敷設すると、荒板４０をそのまま残すこととなるので、廃材としては畳だけであるので、廃材が多量に排出されるのを防ぐことができ、廃材を可及的に少なくすることができる。
【００５２】
なお、これまで説明した図示実施形態においては、固定部材２０を引き掛け具２６に固定するため、固定部材２０の固定部２５が図６のように逆台形状に複数連設して形成されると共に、それに対応するよう引き掛け具２６の係止溝２７が形成された例を示したが、固定部２５及び係止溝２７としては他の形状であってもよい。
【００５３】
例えば、固定部材２０の固定部２５として、図１２（ａ）に示すように山形形状の突起２５ｃが形成される一方、引き掛け具２６の係止溝２７もその形状に対応する山形形状に形成してもよい。或いは、図１２（ｂ）に示すように、固定部２５として両側の非対称位置に設けられた非対称歯２５ｄ，２５ｅを有して形成される一方、係止溝２７としてそれぞれの非対称歯２５ｄ，２５ｅを係止し得るよう形状に形成してもよく、要は、固定部材２０の固定部２５と引き掛け具２６の係止溝２７との形状に拘わることなく、固定部２５を係止溝２７に差し込んだとき、係止溝２７が固定部２５を固定し得る形状であればよい。
【００５４】
【発明の効果】
以上説明したように、請求項１に係る発明によれば、固定部品により、一方の床材と他方の床材とそれぞれ嵌合して双方の床材を互いに隣接して連結すると共に床材に対して固定するように構成したので、所望の床材を固定部品から取り外すだけで、その床材を、連結されている両側の床材から分離させることができ、所望のフローリング材のみを容易に交換することができ、廃材処理が小規模で済むとういう効果が得られる。
【００５５】
請求項２に係る発明によれば、固定部品の第１，第２凸条部と一方の床材の凹条部，他方の床材の凹条部とが嵌合すると、双方の床材を互いに隣接して連結することができる効果が得られる。
【００５６】
請求項３に係る発明によれば、引き掛け具が固定部材の固定部を係止するので、固定部材と嵌合している床材を床下地に対して確実に固定することができる効果が得られる。
【００５７】
請求項４に係る発明によれば、床下地に埋設された取付溝に固定部材の固定部が挿入されたとき、引き掛け具が係止溝によって固定部を係止するので、床下地に固定部材を確実に固定させておくことができる効果が得られる。
【００５８】
請求項５に係る発明によれば、引き掛け具が床下地の取付溝から離脱することがなので、引き掛け具としての信頼性が得られる。
【００５９】
請求項６に係る発明によれば、固定部品によって双方の床材が互いに隣接して連結されると共に床材に対して固定された状態にあるとき、交換すべき床材を床下地から取り外した後、新規の床材の両側面をそれぞれの固定部品と嵌合して、新規の床材を既存の床材間に連結すると共に床下地に対して固定するように構成したので、所望の床材のみを確実に交換することができ、補修方法として実用上大なる効果が得られる。
【図面の簡単な説明】
【図１】  この発明の第１の実施の形態に係る床構造を示す縦断面図である。
【図２】  同じく床構造を示す平面図である。
【図３】  （ａ）は固定部品を示す正面図、（ｂ）は固定部品を示す側面図である。
【図４】  この発明の第２の実施の形態に係る床構造を示す縦断面図である。
【図５】  同じく床構造におけるフローリング材を敷設する前の状態であって、床下地板に固定部材が固定された状態を示す平面図である。
【図６】  床構造に用いられる固定部品を示す要部の拡大図である。
【図７】  この発明の一実施の形態に係る床構造の施工方法を示す説明図である。
【図８】  床構造における床の一部の補修方法を示す説明図である
【図９】  この発明の第３の実施の形態に係る床構造を玄関ホールの改修に適用した縦断面図である。
【図１０】  図９の床構造において、フローリング材を敷設前の状態であって、新規の根太に固定部材が固定された状態を示す平面図である。
【図１１】  この発明の第４の実施の形態に係る床構造を和室から洋室に改修する場合に適用した縦断面図である。
【図１２】  （ａ）は固定部品の固定部材と引き掛け具との他の例を示す拡大図、（ｂ）は固定部品の固定部材と引き掛け具との更に他の例を示す拡大図である。
【図１３】  従来の床構造を示す縦断面図である。
【符号の説明】
５、１０    床構造
９      固定部品
７、１３    床下地板
８、１４、１４Ａ〜１４Ｃ  フローリング材（床材）
１１    大引き
１２，１２Ａ    根太
１３０    取付溝
１３１    取付溝の開口部
１３２    取付溝の奥部
２０    固定部材
２１    第１凸条部、
２２    第２凸条部
２４    脚体
２５    固定部
２６    引き掛け具
２７    係止溝
【図１】
0004034076.tif 000002
【図２】
0004034076.tif 000003
【図３】
0004034076.tif 000004
【図４】
0004034076.tif 000005
【図５】
0004034076.tif 000006
【図６】
0004034076.tif 000007
【図７】
0004034076.tif 000008
【図８】
0004034076.tif 000009
【図９】
0004034076.tif 000010
【図１０】
0004034076.tif 000011
【図１１】
0004034076.tif 000012
【図１２】
0004034076.tif 000013
【図１３】
0004034076.tif 000014